(57)【要約】【目的】  スペースヒータ等の機器へ印加される電圧の有無と流れる電流の有無との組合せ状況を簡易に検出する手段を提供することを目的とする。【構成】  所定の回路上の電流および電圧の有無を検出可能な検出装置であって、電流検出ソレノイドおよびこれにより励磁されて移動する電流検出用可動鉄心を有する電流検出部と、電圧検出ソレノイドおよびこれにより励磁されて移動する電圧検出用可動鉄心を有する電圧検出部とからなり、前記電圧検出用可動鉄心と前記電流検出用可動鉄心とは同一軸線上で相互に連結されるとともに、前記励磁による移動方向とは逆の方向に付勢している付勢部材をそれぞれ備えてなることを特徴とする検出装置。前記電圧検出用可動鉄心と電流検出用可動鉄心とは、連結部材を介して連結されていてもよい。【選択図】        図１
2006184132.tif 000002
【特許請求の範囲】
【請求項１】
所定の回路上の電流および電圧の有無を検出可能な検出装置であって、電流検出ソレノイドおよびこれにより励磁されて移動する電流検出用可動鉄心を有する電流検出部と、電圧検出ソレノイドおよびこれにより励磁されて移動する電圧検出用可動鉄心を有する電圧検出部とからなり、前記電圧検出用可動鉄心と前記電流検出用可動鉄心とは同一軸線上で相互に連結されてなることを特徴とする検出装置。
【請求項２】
前記電圧検出用可動鉄心と前記電流検出用可動鉄心とは、相互に連結部材を介して連結されてなる請求項１に記載の検出装置。
【請求項３】
前記電圧検出用可動鉄心と前記電流検出用可動鉄心とは、前記励磁による両者の移動方向とは反対の方向に付勢する付勢部材をそれぞれ備えてなる請求項１または２に記載の検出装置。
【請求項４】
前記電圧検出用可動鉄心と前記電流検出用可動鉄心とは、前記電流検出ソレノイドおよび前記電圧検出ソレノイドによってそれぞれ励磁され、相互に接近する方向に移動する請求項１〜３のいずれか1項に記載の検出装置。
【請求項５】
前記電圧検出用可動鉄心または前記電流検出用可動鉄心のいずれか一方が励磁されて移動する移動量は、他方の移動量よりも相対的に小さい請求項１〜４のいずれか１項に記載の検出装置。
【請求項６】
前記電圧検出用可動鉄心または前記電流検出用可動鉄心のいずれか一方は、他方の移動
距離を所定の範囲に制限する移動制限手段を備えてなる請求項１〜５のいずれか１項に記
載の検出装置。
【請求項７】
前記検出装置は、さらに前記電圧検出用可動鉄心または前記電流検出用可動鉄心の連結されていない方の一端に接続された目視可能な表示器を備えたことを特徴とする請求項１〜６のいずれか１項に記載の検出装置。
【請求項８】
前記検出装置は、さらに前記電圧検出用可動鉄心または前記電流検出用可動鉄心の移動により開閉可能な接点を有し、前記所定の回路上の電流および電圧の組み合わせの１つに対応して電気信号を出力可能な請求項１〜６のいずれか1項に記載の検出装置。
【発明の詳細な説明】
【技術分野】
【０００１】
本発明は、電流および電圧の有無を検出でき、特に回路上の断線（例えば、ヒータの断線）等の異常の検出にも利用可能な検出装置に関する。
【背景技術】
【０００２】
配電盤、制御盤などのキュービクルなどに設置されているスペースヒータは、キュービクル内部の電気機器類の高湿度環境下での腐食や結露などによる短絡事故を防止するのに重要な役割を果たすものであるため、断線などの異常を監視しておく必要がある。しかし、このスペースヒータやこれに電源を供給するブレーカなどは、通常、キュービクル内部の奥まった位置に配置されることが多いため、点検者がキュービクル内の電気機器の間から携帯型の汎用計測器を用いて断線の有無を調べるのは困難であるとともに、危険が伴う。
【０００３】
また、回路における断線は、当該回路に電圧が印加されながらも電流が流れていない状態であるので、回路上で断線しているか否かは、適用な計測器を用いて電圧および電流の両方を測定して判断される。ところが、携帯型の汎用の計測器では、これらを簡便な方法で同時に測定することはできず、電流と電圧とをそれぞれ測定しなければならないという問題がある。
【０００４】
このような事情から、従来より、スペースヒータなどの回路にセンサーを接続しておき、電圧および電流を常時監視するシステムが考案されている。例えば、特開２００４−１３９９２９号公報は、配電線路からの電熱ヒータへの電圧印加に同期して作動する高周波発振手段と、高周波信号を配電線路へ注入する注入手段と、電熱ヒータの電流が電流センサで検出されている間は高周波発振手段の作動を停止させる作動制御手段と備えた断線検出発信器と、配電線路の高周波信号を受信する高周波受信回路と、受信したとき断線警報を出力する断線警報表示手段とを備えた監視装置によりヒータの断線検出を行なう技術を開示している（特許文献１参照）。
【０００５】
しかし、このような監視装置は高価であり、常時監視システムを構築するにも、その工事に多額な費用を要する。特に、事業所内にこのようなキュービクルが多数設けられている場合には、尚更である。そのため、安価で、かつ簡便にスペースヒータなどの機器の断線を検出可能な検出装置が要望されていた。
【０００６】
【特許文献１】特開２００４−１３９９２９号公報
【発明の開示】
【発明が解決しようとする課題】
【０００７】
そこで、本発明は、上記事情に鑑み、回路上の電圧の有無と流れる電流の有無とを簡易に検出でき、特にスペースヒータなどの機器の断線検出にも好適に使用できる安価な検出装置を提供することを目的とする。
【課題を解決するための手段】
【０００８】
本発明者は、上記事情に鑑み、鋭意検討を重ねた結果、回路上の電流および電圧の有無をそれぞれ検出できるように当該回路上に２個のソレノイドを接続し、これらへの通電の有無をこれらが備えるそれぞれの可動鉄心の直線移動に転換するとともに、この２個の可動鉄心を連結することで、電流および電圧の有無の組合せを連結された可動鉄心の移動量で把握できるとの知見を得、本発明を完成するに至った。
【０００９】
すなわち、上記目的は、本発明によれば、所定の回路上の電流および電圧の有無を検出可能な検出装置であって、電流検出ソレノイドおよびこれにより励磁されて移動する電流検出用可動鉄心を有する電流検出部と、電圧検出ソレノイドおよびこれにより励磁されて移動する電圧検出用可動鉄心を有する電圧検出部とからなり、前記電圧検出用可動鉄心と前記電流検出用可動鉄心とは同一軸線上で相互に連結部材を介して連結されてなることを特徴とする検出装置によって達成される。
【００１０】
本発明の検出装置に使用されるソレノイド（コイル）は、電線などの導体を中空円筒形などに巻いたものである。このうち、電圧検出ソレノイドには、線径の小さい電線で巻数の多い高インピーダンスのものを使用し、電流検出ソレノイドには、線径の大きい電線で巻数の少ない低インピーダンスのものを使用する必要がある。例えばニクロム線などの電線の材質やコイルの内径などは適宜選択できる。
【００１１】
可動鉄心は、上記各ソレノイド内の中心に配置可能な導電体であれば特に制限されず、その形状は円筒形状、円柱形状または角柱形状など種々に設定でき、また両端の形状についても常識的な範囲で任意に設定できる。その材質は、公知のものを種々使用できるが、磁気飽和密度が高く、ヒステリシスの小さいものを使用するのが好ましい。具体的な材質としては、加工が容易な純鉄や純鉄を焼鈍したものなどが挙げられる。また、本発明の検出装置を直流回路に使用する場合には、残留磁束の少ないケイ素鋼なども好適に使用できる。また、電圧検出用、電流検出用の各可動鉄心の励磁によって移動する距離、すなわちストローク長は、それぞれ同一であってもよく、異なっていてもよい。
【００１２】
これらの可動鉄心は、その軸線上で相互に連結される。その際、上記各可動鉄心は、その励磁されることにより移動する方向が同一方向となるように配置してもよく、異なる方向となるように配置してもよい。後者の配置の場合、移動方向は相互に離隔する方向とすることもできるし、相互に接近する方向とすることもできる。
【００１３】
連結は、連結部材を介してもよいし、直接連結してもよい。連結部材を用いる場合、この連結部材は、２個の可動鉄心の先端の形状のそれぞれに連結可能な形状を備えたものとする。連結部材としては、例えば金属製、プラスチック製などの導電体、非導電体のいずれをも使用できる。連結部材の形状としては、横断面の形状が円形、楕円形、矩形などを呈する棒状体、板状体、柱状体などのほか、バネなども好適に使用できる。これらは、単独で用いてもよく、２種以上を組み合わせて用いてもよい。また、その長さについても常識的な範囲で適宜設定できる。
【００１４】
本発明においては、好ましくは、上記のように２個の可動鉄心を連結した場合、いずれか一方が励磁されて移動する移動量を、他方の移動量よりも小さくするのがよい。ストローク長が異なる２種類のソレノイドと可動鉄心の組合せを用いた場合には、上記移動量の大小は問題とならないが、ストローク長の同等な組合せを用いた場合には、適当な手段を設けるのが好ましい。このような手段として、例えば、可動鉄心のいずれか一方に、他方の可動鉄心の移動量を所定の範囲に制限する移動制限手段を設ける方法などが挙げられる。この移動制限手段としては、上記のとおり、一方の可動鉄心の移動量を他方のそれよりも小さくすることができる構造であれば特に限定されない。
【００１５】
このように２個の可動鉄心を連結することで、電流および電圧の有無の組合せ状況によりそれらの移動量が変わることから、連結された２個の可動鉄心のいずれかの最も外側に表示器や接点を設けることができる。また、2個の可動鉄心が連結部材を介して相互に連結されている場合には、当該連結部材にも表示器や接点を設けることができる。例えば、上記連結部材に直角な方向に棒状などの部材を連結し、その先端に表示器などを固定することで、当該表示器が上記連結部材に連動して移動するようにしてもよい。このように表示器などを可動鉄心などに設けることで、回路における電流および電圧の有無の状況を外部に対して知らせることができる。
【００１６】
上記各ソレノイドに通電した場合、上記各可動鉄心は連結された状態であってもそれぞれ励磁されて移動し、通電を止めた場合、通電前の位置に復帰するようにするのが好ましい。そのため、前記励磁による各可動鉄心が移動する方向とは反対の方向に付勢するように付勢部材を上記軸線上の各可動鉄心に接した状態でそれぞれ設けることができる。このような付勢部材としては、弾性体を用いるのがよく、特にバネが好適に使用できる。この付勢部材は、２個の可動鉄心に対してそれぞれ用いてもよく、いずれか一方の可動鉄心に対して用いるだけでもよい。また、２個の可動鉄心のぞれぞれに対して用いる場合でも、２個の付勢部材が、それぞれ伸縮力が同等のものを使用してもよく、異なるものを使用してもよい。また、上記のような付勢部材を用いずに、上記連結された２個の可動鉄心の軸線が鉛直方向となるようにし、上記各ソレノイドへの通電を止めた場合、各可動鉄心は重力によって元の位置に復帰するようにすることもできる。この場合、残留磁気による固着などにより元の位置に復帰しない可能性があることから、可動鉄心には、高比重のものなど重量のあるものを使用するのが好ましい。
【００１７】
上記ソレノイドと可動鉄心との組み合わせには、電磁力を高めるために、その周囲を継鉄などで包囲することが好ましい。このような継鉄の具体例としては、渦電流の発生を抑制できる薄鋼板を成層した構造のものを用いるのが好ましいが、コスト、加工性などの観点から純鉄や軟鉄なども使用できる。この継鉄には、可動鉄心を自在に通過させることができる貫通孔を備えた構造のものを使用でき、その場合固定鉄心を設けなくともよい。
【００１８】
本発明の検出装置は、上記要素から構成され、回路を流れる電流の有無を検出するために、検出しようとする回路の負荷と直列に上記一方のソレノイドを接続し（電流検出部）、上記回路に印加される電圧の有無を検出するために、上記負荷と並列に上記他方のソレノイドを接続して（電圧検出部）使用される。
【００１９】
上記構成からなる本発明の検出装置は、直流回路、交流回路のいずれの回路にも好適に使用できる。
【発明の効果】
【００２０】
以上説明したように、本発明によれば、電圧の有無と流れる電流の有無との組合せで、連結された可動鉄心の移動量を変化させることができるので、電圧の有無と流れる電流の有無との組合せ状況を安価かつ簡易に検出することができる。また、励磁による可動鉄心の移動方向を適宜選択することで、電圧があり電流がない組合せである断線状態を簡易に表示させることもできる。
【発明を実施するための最良の形態】
【００２１】
以下、図面を参照して、本発明の検出装置についてより詳細に説明する。
【００２２】
[実施の形態１]
図１は、実施の形態１における本発明の検出装置の構成を示す図である。この図において、検出装置１００は、電流検出ソレノイド（コイル）１０２、電流検出用可動鉄心１０４および継鉄１０８からなる電流検出部と、電圧検出ソレノイド（コイル）１０３、電圧検出用可動鉄心１０５および継鉄１１８からなる電圧検出部とからなる。電流検出用可動鉄心１０４と電圧検出用可動鉄心１０５とは、同一軸線上に配置され、連結部材１０９を介して連結されている。電流検出用可動鉄心１０４の電圧検出用可動鉄心１０５とは反対側の端部には、断線表示器１０１が取り付けられている。なお、以下の図面では、図１と同一または共通の部分には、同一の符号を用いている。
【００２３】
連結部材１０９は、その一端が電圧検出用可動鉄心１０５に固定され棒状体であり、その他端には係止ピン１１９が設けられ、この係止ピン１１９が電流検出用可動鉄心１０４の移動制限手段１１０内に収納されている。この移動制限手段１１０は、上記軸線上にて上記連結部材１０９上記連結部材１０９の係止ピン１１９を保持した状態で、電流検出用可動鉄心１０４が所定の制限された距離移動するような構造であれば特に限定されない。例えば、上記電流検出用可動鉄心１０４の中央部分に上記の制限された移動量を全長とし、上記係止ピン１１９先端を収納可能な空洞およびその軸線上にあって、当該空洞に連通し、上記連結棒１０９を挿通させることができる開口を設けたものが好適に使用できる。
【００２４】
付勢部材１０６、１０７としては、電流検出ソレノイド１０２および電圧検出ソレノイド１０３に通電していない場合、電流検出用可動鉄心１０４および電圧検出用可動鉄心１０５を相互に離隔する方向に引き離し、また通電時には両者が電磁力により相互に接近しようとするのを付勢可能なものであれば特に限定されないが、弾性体を使用するのが好ましく、バネを使用するのがより好ましい。
【００２５】
本発明の検出装置１００は、電圧検出部の電圧検出ソレノイド１０３に通電していない場合、電圧検出用可動鉄心１０５はバネ１０７によって電流検出部から離隔する方向（図１の下方）に付勢され、バネ１０７が延びきった状態で停止する。一方、電圧検出ソレノイド１０３に通電した場合、当該ソレノイドによって励磁された電圧検出用可動鉄心１０５は、電流検出用可動鉄心１０４に対して連結部材１０９を押し付ける方向、すなわちバネ１０７を縮める方向（図１の上方）に移動し、所定の位置で停止する。
【００２６】
また、電流検出部の電流検出ソレノイド１０２に通電していない場合、電流検出用可動鉄心１０４はバネ１０６によって軸線上を電圧検出部から離隔する方向（図１の上方）に付勢され、当該可動鉄心１０４中の移動制限手段内において係止ピン１１９が電圧検出部側の内壁面に当たったところで停止する。一方、電流検出ソレノイド１０３に通電した場合、当該ソレノイドによって励磁された電流検出用可動鉄心１０４は、軸線上を上記バネ１０６を縮める方向に移動し、所定の位置で停止する。この場合、上記移動制限手段１１０内において連結部材１０６先端の係止ピン１１９が断線表示器１０１側の内壁に当たったところで停止させてもよく、電流検出用可動鉄心１０４の断線表示器１０１側の鍔が継鉄に当たることにより停止させてもよい。
【００２７】
図２は、検出装置の外観を示す斜視図である。この図において、検出装置１００は、上記ソレノイドや可動鉄心などを覆うカバー１２０を備えている。このようにカバー１１０で覆うことで、検出装置１００を取り付けた回路が正常である場合、断線表示器１０１を外部から見えなくしたり、または見えにくくする反面、断線など異常が発生した場合には、上記断線表示器１０１がカバー１２０から飛び出し、作業者の注意を喚起できる。断線表示器１０１の表面には、作業者が注意を引きやすい色彩や模様を付しておいてもよい。上記断線表示器１０１の飛び出しにより、作業者は容易に検出装置１００を取り付けた回路において断線などの異常があることを知ることができる。
このカバー１２０は、台座１２１に取り付けられており、この台座１２１ごと配電盤などの内外に適当な方法で固定しておくことができる。また、台座１２１には、端子台１２２が配置され、そこに設けられた電流検出ソレノイド１０２および電圧検出ソレノイド１０３の外部端子に電流および電圧の検出を行おうとする回路からの配線を接続することができる。また、台座１２１の裏面側には、マグネットを備えた構成とすることができる。このように裏面にマグネットを使用することで、制御盤内などに自由に検出装置１００を配置することができる。
【００２８】
図３は、本発明の検出装置を断線検出装置として用いた場合の使用状況の一例を示す回路構成図である。この図では、ブレーカ（遮断器）２００を介して、スペースヒータ３００に電源を供給する単相回路が形成されている。この電源は、直流であっても交流であってもかまわない。スペースヒータ３００の断線等を検出する場合、図３に示すように、本発明の検出装置１００は、ブレーカ２００とスペースヒータ３００との間の回路に接続される。この場合、電流検出部１３０では、スペースヒータ３００を流れる電流の有無を検出するため、電流検出ソレノイド１０２とスペースヒータ３００とが直列に接続されるようにする。具体的には、例えばブレーカ２００の負荷側端子に結線された配線をはずし、このはずした端子と本発明の検出装置１００の電流検出部用外部端子のうちの１つとを結線し、残った電流検出部用外部端子にブレーカ２００負荷側ではずした配線を接続するなどの方法がある。また、電圧検出部１４０では、上記スペースヒータ３００に印加される電圧の有無を検出するため、電圧検出ソレノイド１０３とスペースヒータ３００とが並列に接続されるようにする。具体的には、上記ブレーカ２００の負荷側の２つの端子のそれぞれと本発明の検出装置１００の電圧検出部用の２つの外部端子のぞれぞれとを接続するなどの方法を好適に使用できる。このように本発明の検出装置１００を回路に接続することで、これ１台でスペースヒータ３００の電源回路に印加される電圧および当該回路を流れる電流の有無を知ることができる。
【００２９】
図４は、図３の回路構成において本発明の検出装置１００の電流および電圧の有無による２つの可動鉄心の移動を説明するための図である。この図において、連結された可動鉄心の移動量は、電流検出用可動鉄心１０４の先端の停止位置で示されている。なお、この図では、継鉄、断線表示器１０１および連結棒１０６先端の係止ピンなどを省略してある。
スペースヒータ３００に電圧が印加され、電流が流れている場合、すなわち、正常にヒータが運転されている場合、電流検出用可動鉄心１０４および電圧検出用可動鉄心１０５は、それぞれ電流検出ソレノイド１０２および電圧検出ソレノイド１０３により励磁されて相互に接近する方向に移動する。しかし、電流検出用可動鉄心１０４と電圧検出用可動鉄心１０５とは、連結棒１０９で連結されるとともに、電流検出用可動鉄心１０４は、移動制限手段によって移動が制限されるため、それ以上相互に接近できない。よって、電流検出用可動鉄心１０４の断線表示器１０１側の先端（図４中、可動鉄心１０４の上端面）は、所定の位置で停止することになる。図４では、この位置をレベル３で表している。
【００３０】
次に、スペースヒータ３００に電圧が印加され、電流が流れていない場合、すなわち、ヒータが断線している場合、電圧検出用可動鉄心１０５は、電圧検出ソレノイド１０３により励磁されて上方向に移動する。他方、電流検出用可動鉄心１０４は、バネ１０６によって上記電圧検出用可動鉄心１０５から離隔する方向（図中、上方向）に向かって移動する。この場合も、移動制限手段によって移動が所定の範囲に制限されるため、電流検出用可動鉄心１０４は所定の位置で停止する。上記と同様、図４では、この位置をレベル４で示している。
【００３１】
また、スペースヒータ３００に電流は流れているが、電圧が印加されていない場合、かかる場合があるとした場合、電圧検出用可動鉄心１０５は、バネ１０７により図４の下方向に付勢され移動すると予想される。一方、電流検出用可動鉄心１０４は、電流検出ソレノイド１０２により励磁されて電圧検出用可動鉄心１０５側（図中下方向）に移動するが、移動制限手段によって移動量が制限されるか、またはバネ１０７が延びきった状態となるため、その結果所定の位置で停止すると予想される。図４では、この仮想的なケースの停止位置をレベル１で示している。
【００３２】
最後に、スペースヒータ３００に電圧が印加されず、電流も流れていない場合、すなわち、ヒータに電源が供給されていない場合、電流検出用可動鉄心１０４および電圧検出用可動鉄心１０５は、それぞれバネ１０６および１０７によって相互に離隔する方向に移動するが、移動制限手段によって電流検出用可動鉄心１０４の移動が所定の範囲内に制限されているため、所定の位置で両者は停止する。図４では、この位置はレベル２で示している。
【００３３】
ここで、電圧断検出用可動鉄心１０５を付勢するバネ１０７は、電流断検出用可動鉄心１０４を付勢するバネ１０６よりばね定数の高いばねを用いることが好ましい。バネ１０７の弾性力をバネ１０６のそれよりも強くすることで、電圧検出用可動鉄心１０５の移動によっても電流検出用可動鉄心１０４の停止位置に与える影響を少なくするためである。
【００３４】
図５は、正常時と断線時とにおける検出装置の外観を示す斜視図である。上述したように、断線時に最も高い位置に電流検出用可動鉄心１０４を移動させることができるので、図５（ａ）に示すように、スペースヒータ３００に電圧が印加され、電流が流れている場合、すなわち、正常にヒータが稼動している場合、断線表示器１０１は、外部から見えないか、または見えにくいようにカバー１１０内に隠れ、断線等の異常が生じた場合には、図５（ｂ）に示すように、断線表示器１０１が、カバー１１０から飛び出して、作業者の注意を喚起することができる。また、図示していないが、電圧および電流の有無と断線表示器１０１の停止位置とを対応させるように、上記断線表示器１０１の周囲に適当な方法を用いて目印を付しておくことで、断線表示器１０１の停止位置に応じて電圧の有無と流れる電流の有無との組合せ状況を作業者が簡易に目視で知ることができる。
【００３５】
次に、図１〜５に示した断線表示器１０１の代わりに、電圧の有無と電流の有無との組合せ状況に応じて電流検出用可動鉄心１０４が移動して停止する４つの異なった位置（仮想上の停止位置１つを含む。実際上は３つの異なった位置となる。）にそれぞれ接点を設けることもできる。図６は、このような検出装置の構成の一部を示す概念図であり、上記仮想ケースの停止位置に対応した接点も示している。図６では、電流検出用可動鉄心１０４の停止位置に対応して当該可動鉄心１０４の軸線方向に沿って配置されたそれぞれの接点を開閉できる治具１６０を上記可動鉄心１０４の先端に取り付け、電流、電圧の有無の組合わせに対応する上記レベル２〜４の少なくとも３つの位置でこの治具１６０がこれらの接点のうちの１つを閉じるように構成されている。このように構成することで、回路上の電流および電圧の状況、すなわち正常な状態か、断線した状態かなど電流および電圧の有無の組合せ状況を外部に取り出して監視することが可能となる。上記治具１６０の代わりに、可動鉄心１０４の先端に磁石を取り付け、この磁石の吸引力または斥力により接点を開閉するようにしてもよい。
【００３６】
[実施の形態２]
図７は、実施の形態２における本発明の検出装置１００を示す概念図である。この図において、電流検出部１３０および電圧検出部１４０の２個の可動鉄心１０４および１０５は、励磁されることにより同一方向に移動するよう構成され、移動制限手段は設けられていない点が、可動鉄心１０４および１０５が相互に接近する方向に移動するように構成された実施の形態１の検出装置と大きく異なるところである。この検出装置１００では、電圧検出部１４０の可動鉄心のストローク長を電流検出部１３０の可動鉄心のそれよりも大きくなるように構成している。また、可動鉄心の移動方向を同一としたことから、可動鉄心１０５を付勢するバネ１０７の取り付け位置も異なっている。また、この図では、２個のバネ１０６および１０７が、２個の可動鉄心１０４および１０５を付勢するように構成されているが、１個のバネをいずれかの可動鉄心を付勢するように取り付けた構成とすることもできる。なお、図７における電流検出部１３０の可動鉄心１０４の上部には、上記実施の形態１において示した断線表示器、治具または磁石を装着することができる。
【００３７】
図８は、実施の形態２における検出装置１００の電流および電圧の有無による連結された可動鉄心の移動を説明するための図である。この図において、連結された可動鉄心の移動量は、電流検出用可動鉄心１０４の先端の停止位置で示されている。先ず、回路上に電圧が印加されず、電流も流れない場合、可動鉄心はいずれも移動せず、その結果、電流検出用可動鉄心１０４の先端（図中の上側の先端）は、レベル１の位置となる。次に、電圧が印加され、電流も流れる正常な場合、いずれの可動鉄心もそれぞれのソレノイドによって励磁され、最も移動量が大きくなり、レベル４の位置で停止する。また、電圧は印加されているが、電流が流れていない断線の場合、電圧検出用可動鉄心１０５のストローク長の分移動し、レベル３の位置で停止する。この図にように、回路上の電流および電圧の有無の組合せにより、連結された可動鉄心の先端（図中、可動鉄心の上側の先端）は、レベル１、３，４の位置に停止する。なお、レベル２は、仮に電流があり、電圧がない状況が起こり得た場合の電流検出用可動鉄心１０４の先端の仮想的な停止位置を示している。
【００３８】
以上のように、電圧の有無と電流の有無との組合せ状況に応じて異なる位置に連結された可動鉄心の先端を移動させることができるので、簡易な手段で、電圧の有無と電流の有無との組合せ状況を検出することができる。
【００３９】
その他、本発明の要素を具備し、当業者が適宜設計変更しうる全ての検出装置或いは方法は、本発明の範囲に包含される。
【００４０】
また、説明の簡便化のために、検出装置の構成等、当業者の間で通常用いられる構成等を、省略しているが、それらの構成が含まれることは言うまでもない。
【産業上の利用可能性】
【００４１】
本発明の検出装置は、２個の可動鉄心をその軸線上で相互に連結することで、可動鉄心の直線的な移動量により所定の回路の電流および電圧の有無を検出でき、各可動鉄心が励磁されることにより移動する方向を同一方向または異なる方向に適宜選択することで、電流および電圧の有無の組み合わせを上記移動量により種々に規定することができる。そのため、上記のように断線検出器のみならず、電流および電圧の有無の組み合わせ状況を検出するのに使用するのに適する。また、１つの回路から異なる３種類の電気信号を少なくとも出力可能であるため、制御分野においても使用できる可能性がある。
【図面の簡単な説明】
【００４２】
【図１】実施の形態１における検出装置の構成を示す概念図である。
【図２】検出装置の概観を示す図である。
【図３】回路構成の一例を示す図である。
【図４】実施の形態１の検出装置の可動鉄心の移動を説明するための図である。
【図５】正常時と断線時とにおける検出装置の概観を示す図である。
【図６】実施の形態２における検出装置の構成の一部を示す概念図である。
【図７】実施の形態２における検出装置の構成を示す概念図である。
【図８】実施の形態２の検出装置の可動鉄心の移動を説明するための図である。
【符号の説明】
【００４３】
１００  検出装置
１０１  断線表示器
１０２  電流検出ソレノイド
１０３  電圧検出ソレノイド
１０４  電流検出用可動鉄心
１０５  電圧検出用可動鉄心
１０６、１０７  可動鉄心付勢用バネ
１０８，１１８  継鉄
１０９  両鉄心連結棒
１１０  カバー
１１９  係止ピン
１２０  台座
１２２  端子台
１５１，１５２，１５３，１５４  接点
１６０  治具
２００  ブレーカ
３００  スペースヒータ
【図１】
2006184132.tif 000003
【図２】
2006184132.tif 000004
【図３】
2006184132.tif 000005
【図４】
2006184132.tif 000006
【図５】
2006184132.tif 000007
【図６】
2006184132.tif 000008
【図７】
2006184132.tif 000009
【図８】
2006184132.tif 000010